(57)【要約】 【課題】開口部一杯まで内容物を入れてもこぼれることがなく、収容量が十分に取れて使い勝手のよい袋、および袋の製造方法を提供する。【解決手段】筒を平に押しつぶした形態の原反から成形され、開口部３０に紐挿通部４０が形成された袋１０において、開口部３０の端を切裂いてフラップ部３５を形成し、該フラップ部３５を外側に折り返し、開口部３０の袋本体２０の内面は切裂くことなく連続させたまま、該フラップ部３５の先端３６を袋本体２０に接合し、フラップ部３５と袋本体２０との間に、筒状に前記紐挿通部４０を形成したことを特徴とする袋１０。【選択図】図１
2005075446.tif 000002
【特許請求の範囲】
【請求項１】
筒を平に押しつぶした形態の原反から成形され、開口部に紐挿通部が形成された袋において、
開口部の端を切裂いてフラップ部を形成し、該フラップ部を外側に折り返し、開口部の袋本体の内面は切裂くことなく連続させたまま、該フラップ部の先端を袋本体に接合し、フラップ部と袋本体との間に、筒状に前記紐挿通部を形成したことを特徴とする袋。
【請求項２】
筒を平に押しつぶした形態をしていて、開口部に紐挿通部が形成された袋において、
シート状の原料の周囲を縫い合わせて平袋状に成形し、開口部の先端にフラップ部を形成し、該フラップ部を外側に折り返し、開口部の袋本体の内面は連続させたまま、該フラップ部の先端を袋本体に接合し、フラップ部と袋本体との間に、筒状に前記紐挿通部を形成したことを特徴とする袋。
【請求項３】
筒を平に押しつぶした形態の原反から成形され開口部に紐挿通部が形成された袋の製造方法において、
開口部の端を切裂いてフラップ部を形成し、該フラップ部を外側に折り返し、開口部の袋本体の内面は切裂くことなく連続させたまま、該フラップ部の先端を袋本体に接合し、フラップ部と袋本体との間に、筒状に前記紐挿通部を形成したことを特徴とする袋の製造方法。
【請求項４】
筒を平に押しつぶした形態をしていて、開口部に紐挿通部が形成された袋の製造方法において、
シート状の原料の周囲を縫い合わせて平袋状に成形し、開口部の先端にフラップ部を形成し、該フラップ部を外側に折り返し、開口部の袋本体の内面は連続させたまま、該フラップ部の先端を袋本体に接合し、フラップ部と袋本体との間に、筒状に前記紐挿通部を形成したことを特徴とする袋の製造方法。
【発明の詳細な説明】
【技術分野】
【０００１】
本発明は、荷役、土木、漁業用から、巾着やゴミ袋等の実用品等に用いる袋および、袋の製造方法に関する。
【背景技術】
【０００２】
従来の技術としては、例えば特許文献１に示すようなものがある。  
すなわち、同文献の図９および図１２でわかるように、開口部の先端のフラップ部は内側に折り返されて紐挿通部が形成されており、開口部の袋本体の内面は両端が割れていて、連続していない。つまり、袋の開口部の端が割れている。
【０００３】
【特許文献１】特開平１０−１００２８８号公報
【発明の開示】
【発明が解決しようとする課題】
【０００４】
しかしながら、このような従来の技術では、袋の開口部の端が割れているために、内容物を開口部一杯まで入れることができず、開口部一杯まで入れると内容物がこぼれてしまい、収容量が少なく、また、こぼれやすいので使い勝手が悪いという問題点があった。
【０００５】
本発明は、このような従来の技術が有する問題点に着目してなされたもので、袋の開口部の内面が連続していて、割れておらず、開口部一杯まで内容物を入れてもこぼれることがなく、収容量が十分に取れて使い勝手のよい袋、および袋の製造方法を提供することを目的としている。
【課題を解決するための手段】
【０００６】
かかる目的を達成するための本発明の要旨とするところは、次の各項の発明に存する。
［１］筒を平に押しつぶした形態の原反から成形され、開口部（３０）に紐挿通部（４０）が形成された袋（１０）において、
開口部（３０）の端を切裂いてフラップ部（３５）を形成し、該フラップ部（３５）を外側に折り返し、開口部（３０）の袋本体（２０）の内面は切裂くことなく連続させたまま、該フラップ部（３５）の先端（３６）を袋本体（２０）に接合し、フラップ部（３５）と袋本体（２０）との間に、筒状に前記紐挿通部（４０）を形成したことを特徴とする袋（１０）。
【０００７】
［２］筒を平に押しつぶした形態をしていて、開口部（３０）に紐挿通部（４０）が形成された袋（１０）において、
シート状の原料の周囲を縫い合わせて平袋状に成形し、開口部（３０）の先端（３６）にフラップ部（３５）を形成し、該フラップ部（３５）を外側に折り返し、開口部（３０）の袋本体（２０）の内面は連続させたまま、該フラップ部（３５）の先端（３６）を袋本体（２０）に接合し、フラップ部（３５）と袋本体（２０）との間に、筒状に前記紐挿通部（４０）を形成したことを特徴とする袋（１０）。
【０００８】
［３］筒を平に押しつぶした形態の原反から成形され開口部（３０）に紐挿通部（４０）が形成された袋（１０）の製造方法において、
開口部（３０）の端を切裂いてフラップ部（３５）を形成し、該フラップ部（３５）を外側に折り返し、開口部（３０）の袋本体（２０）の内面は切裂くことなく連続させたまま、該フラップ部（３５）の先端（３６）を袋本体（２０）に接合し、フラップ部（３５）と袋本体（２０）との間に、筒状に前記紐挿通部（４０）を形成したことを特徴とする袋（１０）の製造方法。
【０００９】
［４］筒を平に押しつぶした形態をしていて、開口部（３０）に紐挿通部（４０）が形成された袋（１０）の製造方法において、
シート状の原料の周囲を縫い合わせて平袋状に成形し、開口部（３０）の先端（３６）にフラップ部（３５）を形成し、該フラップ部（３５）を外側に折り返し、開口部（３０）の袋本体（２０）の内面は連続させたまま、該フラップ部（３５）の先端（３６）を袋本体（２０）に接合し、フラップ部（３５）と袋本体（２０）との間に、筒状に前記紐挿通部（４０）を形成したことを特徴とする袋（１０）の製造方法。
【００１０】
前記本発明は次のように作用する。  
筒を平に押しつぶした形態の原反から成形される袋（１０）では、フラップ部（３５）を外側に折り返してその先端（３６）が袋本体（２０）に接合されて筒状の紐挿通部（４０）が形成されており、開口部（３０）に紐挿通部（４０）が形成された形態で、開口部（３０）の袋本体（２０）の内面は切裂かれることなく連続しており、開口部（３０）の端が割れていない。
【００１１】
使用にあたり、袋（１０）の開口部（３０）を開き、砂利等の内容物（Ａ）を袋（１０）に詰める。袋（１０）の開口部（３０）の内面が連続していて、割れていないので、開口部（３０）一杯まで内容物（Ａ）を入れてもこぼれることがない。内容物（Ａ）を充填してから紐挿通部（４０）に通した紐（１５）を絞り、開口部（３０）を閉じる。割れ目から内容物（Ａ）がこぼれる心配がないので、紐（１５）を絞りやすく、作業が容易である。
【００１２】
シート状の原料から作られる袋（１０）では、原料の周囲を縫い合わせて平袋状に成形されており、開口部（３０）の袋本体（２０）の内面は連続させたままで、開口部（３０）の先端（３６）から張り出したフラップ部（３５）を外側に折り返してその先端（３６）を袋本体（２０）に接合し、フラップ部（３５）と袋本体（２０）との間に筒状に紐挿通部（４０）が形成されている。
【００１３】
この場合も、袋（１０）の開口部（３０）の内面が連続していて、割れていないので、開口部（３０）一杯まで内容物（Ａ）を入れてもこぼれることがない。内容物（Ａ）を充填してから紐挿通部（４０）に通した紐（１５）を絞り、開口部（３０）を閉じる。割れ目から内容物（Ａ）がこぼれる心配がないので、紐（１５）を絞りやすく、作業が容易である。
【００１４】
筒を平に押しつぶした形態の原反から袋（１０）を成形する方法では、開口部（３０）の端を切裂いてフラップ部（３５）を形成し、開口部（３０）の袋本体（２０）の内面は切裂くことなく連続させたまま、フラップ部（３５）を根元から外側に折り返し、先端（３６）を袋本体（２０）に接合する。これにより、フラップ部（３５）と袋本体（２０）との間に、筒状の紐挿通部（４０）が形成される。
【００１５】
シート状の原料から袋（１０）を成形する方法では、まず、原料の周囲を縫い合わせて平袋状に成形し、開口部（３０）の先端（３６）から張り出すようにしてフラップ部（３５）を形成し、開口部（３０）の袋本体（２０）の内面は連続させたまま、フラップ部（３５）を根元から外側に折り返し、その先端（３６）を袋本体（２０）に接合すれば、フラップ部（３５）と袋本体（２０）との間に、筒状の紐挿通部（４０）が形成される。
【発明の効果】
【００１６】
本発明にかかる袋および、袋の製造方法によれば、袋の開口部の内面が連続していて、割れていないので、開口部一杯まで内容物を入れてもこぼれることがない。割れ目から内容物がこぼれる心配がないので、紐を絞りやすく、作業が容易である。
【発明を実施するための最良の形態】
【００１７】
以下、図面に基づき本発明の好適な一実施の形態を説明する。  
各図は本発明の一実施の形態を示している。  
図１および、図２に示すように、袋１０は筒を平に押しつぶした形態の原反から成形されるものであり、開口部３０に紐挿通部４０が形成されている。
【００１８】
原反は一つの袋の長さに切断され、袋本体２０の最下端が縫合されて底２１となり、底２１の両隅は強化縫合２２，２２がなされている。開口部３０の端は切裂かれフラップ部３５が形成され、フラップ部３５は外側に折り返され、フラップ部３５の先端３６を袋本体２０に縫合して接合し、フラップ部３５と袋本体２０との間に、筒状に紐挿通部４０が形成されている。開口部３０の袋本体２０の内面は切裂くことなく連続しており、開口部３０の端は折れ目３１，３１となっている。
【００１９】
紐挿通部４０は平たい袋１０の両側に形成され、それぞれに紐挿通口４１，４１…が開口している。そして、紐挿通口４１から紐１５（ロープ）が開口部３０を巻くように挿通され、一つの紐挿通口４１に通した紐１５は、反対側の紐挿通口４１で折れ目３１を回して折り返され、さきの紐挿通口４１に隣接する紐挿通口４１から外へ引き出される。反対側の紐１５も同様である。
【００２０】
次に作用を説明する。  
筒を平に押しつぶした形態の原反から成形される袋１０では、フラップ部３５を外側に折り返してその先端が袋本体２０に接合されて筒状の紐挿通部４０が形成されており、開口部３０に紐挿通部４０が形成された形態で、開口部３０の袋本体２０の内面は切裂かれることなく連続しており、開口部３０の端が割れていない。
【００２１】
図３に示すように、使用にあたり、袋１０の開口部３０を開き、砂利等の内容物Ａを袋１０に詰める。内容物Ａは底２１から積み上がり、最大限開口部３０に達するまで収納することができる。袋１０の開口部３０の内面が連続していて、割れていないので、開口部３０一杯まで内容物を入れてもこぼれることがない。内容物Ａを充填した後、紐挿通部４０に通され、紐挿通口４１，４１…から出ている紐１５を引き絞り、開口部３０を閉じるようにする。割れ目がなく、内容物がこぼれる心配がないので、紐Ａを絞りやすく、作業が容易である。
【００２２】
図４に示すように、紐１５を十分に絞ると、首状になった開口部３０を紐１５で巻いて縛る。図５に示すように、内容物Ａを充填した複数の袋１０，１０…を束にして縛り合わせて用いることも出来る。この束は、例えば、定置網の流れ防止用の重錘として用いられるものである。
【００２３】
なお、筒を平に押しつぶした形態の原反ではなく、シート状の原料から作られる袋では、原料の周囲を縫い合わせて、袋本体２０の側端縁も縫い合わせて平袋状に成形する。それ以外の開口部３０の成形手順は筒を平に押しつぶした形態の原反によるものと同様である。
【００２４】
袋１０の前記製造方法として説明すれば、筒を平に押しつぶした形態の原反から袋１０を成形する方法では、開口部３０の端を切裂いてフラップ部３５を形成し、開口部３０の袋本体２０の内面は切裂くことなく連続させたまま、フラップ部３５を根元から外側に折り返し、先端を袋本体２０に接合する。これにより、フラップ部３５と袋本体２０との間に、筒状の紐挿通部４０が形成される。
【００２５】
シート状の原料から袋１０を成形する方法では、まず、原料の周囲を縫い合わせて平袋状に成形し、開口部３０の先端から張り出すようにしてフラップ部３５を形成し、開口部３０の袋本体２０の内面は連続させたまま、フラップ部３５を根元から外側に折り返し、その先端を袋本体２０に接合すれば、フラップ部３５と袋本体２０との間に、筒状の紐挿通部４０が形成される。
【００２６】
なお、前記実施の形態では、縫合により接合するものを示したが、接着や溶着により接合してもよいことはいうまでもない。また、開口部の端が割れていない特性を利用できるさまざまな用途の袋に利用することが出来る。
【図面の簡単な説明】
【００２７】
【図１】本発明の一実施の形態に係る袋を示す正面図である。
【図２】本発明の一実施の形態に係る袋を示す部分斜視図である。
【図３】本発明の一実施の形態に係る袋に内容物を充填する状態を示す斜視図である。
【図４】本発明の一実施の形態に係る袋の利用状態を示す斜視図である。
【図５】本発明の一実施の形態に係る袋の利用状態を示す斜視図である。
【符号の説明】
【００２８】
Ａ…内容物
１０…袋
１５…紐
２０…袋本体
２１…底
３０…開口部
３１…折れ目
３５…フラップ部
３６…先端
４０…紐挿通部
４１…紐挿通口
【図１】
2005075446.tif 000003
【図２】
2005075446.tif 000004
【図３】
2005075446.tif 000005
【図４】
2005075446.tif 000006
【図５】
2005075446.tif 000007